(57)【要約】【課題】通話端末の通信履歴と通話メモを関連付けて記録し、通話履歴情報を記録した通信端末および通信履歴を記録した以外の通信端末が要求することにより、同通信端末利用者または第三者が前回の通信履歴とその通話内容を把握することができ、通話内容を引き継いで通話できるようにする。【課題手段】通信端末は、通信端末が実行した発着信の日時および通話相手の情報を含む通信履歴データと、通信端末から音声データまたは文字データまたは手書き入力データから成る通話メモ記録する。また、通信履歴サーバは、複数の通信端末から送られた通信履歴データと通話メモを通信端末のＩＤに関連付けて蓄積し、当該通信端末または特定の通信端末から通信履歴の送信要求があった場合に、通信履歴を参照し通信履歴データと共に関連付けられた通話メモまたは通話メモの有無を要求元の通信端末に送信する。【選択図】図１
2010081468.tif 000002
【特許請求の範囲】
【請求項１】
１以上の通信端末の通信履歴データを蓄積する通信履歴サーバであって、
前記通信端末から当該通信端末が実行した発着信の日時および通話相手の情報を含む通信履歴データを受信する通信履歴データ受信手段と、前記通信端末から音声データまたは文字データまたは手書き入力データから成る通話メモを受信する通話メモ受信手段と、前記通話メモを前記通信履歴データ受信手段が受信した通信履歴データと当該通信端末のＩＤとに関連付けて蓄積する通信履歴情報蓄積手段と、を有し、
当該通信端末または特定の通信端末から当該通信端末の通信履歴の送信要求があった場合に、前記通信履歴情報蓄積手段を参照し、通信履歴データと共に関連付けられた通話メモまたは通話メモの有無を前記要求元の通信端末に送信することを特徴とする通話メモ蓄積機能付き通信履歴サーバ。
【請求項２】
請求項１に記載の通信履歴サーバであって、
前記通信履歴データ受信手段および前記通話メモ受信手段は、電子メールの受信手段であり、前記通信端末のＩＤは前記電子メールの送信元アドレスであることを特徴とする通話メモ蓄積機能付き通信履歴サーバ。
【請求項３】
請求項１または２に記載の通信履歴サーバであって、
前記特定の通信端末は、当該通信端末と関連付けられて特定通信端末登録処理手段に予め登録された通信端末であることを特徴とする通話メモ蓄積機能付き通信履歴サーバ。
【請求項４】
１以上の通信端末の通信履歴データを蓄積する通信履歴情報蓄積手段と、前記通信端末から当該通信端末が実行した発着信の日時および通話相手の情報を含む通信履歴データを受信する通信履歴データ受信手段と、前記通信端末から音声データまたは文字データまたは手書き入力データから成る通話メモを受信する通話メモ受信手段と、前記通話メモを前記通信履歴データ受信手段が受信した通信履歴データと当該通信端末のＩＤとに関連付けて蓄積する通信履歴情報蓄積手段と、を有し、当該通信端末または特定の通信端末から当該通信端末の通信履歴の送信要求があった場合に、前記通信履歴情報蓄積手段を参照し、通信履歴データと共に関連付けられた通話メモまたは通話メモの有無を前記要求元の通信端末に送信する通話メモ蓄積機能付き通信履歴サーバと連携する通信端末であって、
前記通信履歴サーバへ自通信端末または自通信端末と関連付けられた通信端末が送信した通信履歴データおよびまたは通話メモの送信を要求する通信履歴情報要求手段と、要求した通信履歴情報を受信する通信履歴情報受信手段と、前記受信した通信履歴情報を表示または再生する通信履歴情報表示手段を有することを特徴とする通信端末。
【請求項５】
１以上の通信端末の通信履歴データを蓄積する通信履歴情報蓄積手段と、前記通信端末から当該通信端末が実行した発着信の日時および通話相手の情報を含む通信履歴データを受信する通信履歴データ受信手段と、前記通信端末から音声データまたは文字データまたは手書き入力データから成る通話メモを受信する通話メモ受信手段と、前記通話メモを前記通信履歴データ受信手段が受信した通信履歴データと当該通信端末のＩＤとに関連付けて蓄積する通信履歴情報蓄積手段と、を有し、当該通信端末または特定の通信端末から当該通信端末の通信履歴の送信要求があった場合に、前記通信履歴情報蓄積手段を参照し、通信履歴データと共に関連付けられた通話メモまたは通話メモの有無を前記要求元の通信端末に送信する通話メモ蓄積機能付き通信履歴サーバと連携する通信端末であって、
通話中または通話終了後に音声データまたは文字データまたは手書き入力データから成る通話メモを作成する通話メモ作成手段を有し、
自通信端末が実行した発着信の日時および通話相手の情報を含む通信履歴データと前記通話メモ作成手段が作成した通話メモを関連付けて前記通信履歴サーバへ送信することを特徴とする通信端末。
【発明の詳細な説明】
【技術分野】
【０００１】
本発明は、通信端末から送られた通信履歴と通話メモを関連付けて蓄積し要求元の通信端末へ送信する通信履歴サーバおよび通信履歴と通話メモを記録する通信端末に関する。
【背景技術】
【０００２】
例えば、特許文献１にはキーワード検索により必要な通話記録を取得できる情報記録機能付き電話機に関する技術が開示されている。また、音声データ、キーワード、テキストデータ、及びネットワークを介して行った通信履歴を保存し音声データを検索する技術についても開示されている。
【特許文献１】特開２００５−２７７５８９号公報
【発明の開示】
【発明が解決しようとする課題】
【０００３】
しかしながら、特許文献１の技術は、自電話機に記録した音声データや通信履歴をキーワード検索することの技術開示であって、複数の電話機の通信履歴に関連付けられた音声データを記録し管理するものではない。また、複数の電話機からの通信履歴の要求により、通信履歴と関連付けられた音声データを送信する技術については記載されていない。
【０００４】
そこで、本発明の課題は、通話端末の通信履歴と通話メモを関連付けて記録し、通話履歴情報を記録した通信端末および通信履歴を記録した以外の通信端末が要求することにより、同通信端末利用者または第三者が前回の通信履歴とその通話内容を把握することができ、通話内容を引き継いで通話することにある。
【課題を解決するための手段】
【０００５】
１以上の通信端末の通信履歴データを蓄積する通信履歴サーバであって、前記通信端末から当該通信端末が実行した発着信の日時および通話相手の情報を含む通信履歴データを受信する通信履歴データ受信手段と、前記通信端末から音声データまたは文字データまたは手書き入力データから成る通話メモを受信する通話メモ受信手段と、前記通話メモを前記通信履歴データ受信手段が受信した通信履歴データと当該通信端末のＩＤとに関連付けて蓄積する通信履歴情報蓄積手段と、を有し、当該通信端末または特定の通信端末から当該通信端末の通信履歴の送信要求があった場合に、前記通信履歴情報蓄積手段を参照し、通信履歴データと共に関連付けられた通話メモまたは通話メモの有無を前記要求元の通信端末に送信することを特徴とする。
【０００６】
また、１以上の通信端末の通信履歴データを蓄積する通信履歴情報蓄積手段と、前記通信端末から当該通信端末が実行した発着信の日時および通話相手の情報を含む通信履歴データを受信する通信履歴データ受信手段と、前記通信端末から音声データまたは文字データまたは手書き入力データから成る通話メモを受信する通話メモ受信手段と、前記通話メモを前記通信履歴データ受信手段が受信した通信履歴データと当該通信端末のＩＤとに関連付けて蓄積する通信履歴情報蓄積手段と、を有し、当該通信端末または特定の通信端末から当該通信端末の通信履歴の送信要求があった場合に、前記通信履歴情報蓄積手段を参照し、通信履歴データと共に関連付けられた通話メモまたは通話メモの有無を前記要求元の通信端末に送信する通話メモ蓄積機能付き通信履歴サーバと連携する通信端末であって、通話中または通話終了後に音声データまたは文字データまたは手書き入力データから成る通話メモを作成する通話メモ作成手段を有し、自通信端末が実行した発着信の日時および通話相手の情報を含む通信履歴データと前記通話メモ作成手段が作成した通話メモを関連付けて前記通信履歴サーバへ送信することを特徴とする。
【発明の効果】
【０００７】
本発明によれば、通信端末が記録した通信履歴と通話メモを関連づけて蓄積する通信履歴サーバへ、当該通信端末以外の特定の通信端末からも通信履歴と通話メモを要求することができるため、通信履歴を記録した利用者や第三者が前回の通話内容を把握することができ、新たな通話または転送されてきた通話においても通話内容を引き継いで通話することができる。
【発明を実施するための最良の形態】
【０００８】
以下、本発明の実施の形態について説明する。
【実施例】
【０００９】
図１は、本発明の一実施形態が適用された通話メモ蓄積機能付き通信履歴サーバ２００および通信端末３００の概略図である。図示するように通信履歴サーバ２００は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆交換電話網）またはＩＰ（Ｉｎｔｅｒｎｅｔ  Ｐｒｏｔｏｃｏｌ：インターネットプロトコル）網などのネットワーク網１００に接続され、通信端末３００からの通信履歴データと通話メモを受信し、通信端末３００のＩＤ（Ｉｄｅｎｔｉｆｉｃａｔｉｏｎ：利用者識別のための符号）と関連付けて通信履歴情報の蓄積を行う。
【００１０】
また、通信履歴サーバ２００は、通信端末３００から、通信履歴の送信要求があった場合に通信履歴情報を通信端末３００へ送信する機能を有する。さらに、定期的にメールサーバ４００へ受信メールを確認し、受信メールにより通信端末３００の通信履歴データおよび通話メモを受信する。
【００１１】
通信端末３００−１は、ネットワーク網１００に接続され、通話メモを作成する手段を有し通信端末３００−１が実行した発着信の日時および通話相手の情報を含む通信履歴データおよび通話メモをメールサーバ４００へ送信する。また、直接、通信履歴サーバに通信履歴情報を送信してもよい。
【００１２】
また、通信端末３００−１は、通信履歴サーバ２００へ自通信端末または他の通信端末３００の通信履歴を要求し通信履歴データおよび通話メモを受信し表示する機能を有する。
【００１３】
また、通信履歴サーバ２００が蓄積している通信履歴情報を送信した通信端末３００―１以外の他の通信端末３００−２または通信端末３００−３が要求し、受信することも可能である。
【００１４】
図２は、通信履歴サーバ２００の概略構成図である。通信履歴サーバ２００は、ネットワーク網１００と通信を行う回線制御部２０１を有する。回線制御部２０１から受信するデータの動作について概略構成を説明する。
【００１５】
第１に受信データは、通信端末３００からの通信履歴情報の要求であり、通信履歴情報要求受信処理部２０２にて受信し、通信端末ＩＤ管理処理部２０４により、要求があった通信端末３００のＩＤを通信履歴情報蓄積処理部２０９で検索し、該当の通信端末３００の通信履歴データと通話メモを取得し、通信履歴情報送信処理部２０８において通信端末３００へ通信履歴情報として送信する。また、通信履歴情報の要求があった特定の通信端末３００のＩＤを通信端末ＩＤ管理処理部２０４で認識し、特定通信端末登録処理部２０５で特定の通信端末３００であることを記憶する。
【００１６】
第２に受信データは、メールサーバ４００からの受信メールであり、受信メール処理部２０６にて通信端末３００から送信された通信履歴データまたは通話メモを認識し、それぞれ、通信履歴データは通信履歴データ受信処理部２０３へ渡す処理を行い、通話メモは通話メモ受信処理部２０７へ渡す処理を行う。
【００１７】
尚、通信履歴データおよび通話メモは、メールサーバ４００を使用して履歴サーバ２００へ送信せずに、直接通信端末３００から履歴サーバ２００へ送信してもよい。通信端末３００から受信したデータは、通信端末３００で記録した通信履歴データであり、通信履歴データ受信処理部２０３で受信し通信端末ＩＤ管理処理部２０４で通信履歴を送信した通信端末３００のＩＤを検索し、通信履歴情報蓄積処理部２０９にて通信履歴情報として記憶する。
【００１８】
また、通信端末３００から受信したデータは、通信端末３００で作成した通話メモであり、通話メモ受信処理部２０７で通信端末３００で受信し、通信端末ＩＤ管理処理部２０４で送信した通信端末３００を認識して通信履歴情報蓄積処理部２０９で通信履歴データと関連付けて通信履歴情報として記憶する。
【００１９】
図３は、通信端末３００の概略構成図である。通信端末３００は、ネットワーク網１００などと通信を行う回線制御部２０１を有する。通信端末３００は、通話に必要なスピーカとマイクとキーとＬＣＤ（Ｌｉｑｕｉｄ  Ｃｒｙｓｔａｌ  Ｄｉｓｐｌａｙ：液晶表示装置）などのハードウェアを搭載し、発信動作や着信動作を実施する。
【００２０】
発信動作について図示に従って説明する。キー入力部３１２にて発信に必要なダイヤルを入力し主制御部３０５にて発信動作を開始する。主制御部３０５はＳＩＰ（Ｓｅｓｓｉｏｎ  Ｉｎｉｔｉａｔｉｏｎ  Ｐｒｏｔｏｃｏｌ：セッション確立プロトコル）／音声処理部３０２へ指示を行い、回線制御部３０１を経由して外部に接続されるＳＩＰサーバまたはＩＰ電話機等へ接続する。
【００２１】
通話開始後は、ＳＩＰ／音声処理部３０２より音声データを受信し、受話音声出力部３０４によりデジタルデータをアナログデータへ変換して音声をスピーカから出力する。入力音声は、マイクからの音声を送話音声入力部３０３で入力しアナログデータをデジタルデータへ変換する。主制御部３０５は、デジタルデータをＳＩＰ／音声処理部３０２より相手端末に対して送信し、音声データを、回線制御部３０１を通じて送信する。
【００２２】
次に、通信履歴を記録し、通信履歴データまたは通話メモを外部に接続されたメールサーバ４００へ送信する動作を説明する。発信動作または着信動作を行った通信端末３００は、通話の終了状態を主制御部３０５で監視しており、通話が終了した時点で、通話記録処理部３１１にて、相手の電話番号と通話時間と通話開始時間と通話終了時間と使用回線などの通話情報を記録する。主制御部３０５は、自通信端末３００のメールアドレスを記憶し通信端末３００のＩＤとして通信履歴データとともに通信履歴データ送信部３０８よりメールサーバ４００へ送信する。
【００２３】
次に、通話メモの作成を説明する。キー入力部３１２より通話内容を入力したデータを通話メモ作成処理部３１０で通話メモとして作成し、主制御部３０５で通信端末ＩＤと関連付けて通話メモ送信処理部３１４よりメールサーバ４００へ通話メモを送信する。
【００２４】
尚、通信端末３００は通信履歴データおよび通話メモをメールサーバ４００以外に直接通信履歴サーバ２００へ送信してもよい。
【００２５】
次に、通信端末３００が通信履歴サーバ２００へ通信履歴情報を要求し通信履歴情報を受信する動作を説明する。主制御部３０５は、キー入力部３１２からの通信履歴情報の要求操作により、通信履歴要求処理部３０７にて要求データを作成し回線制御部３０１を経由して通信履歴サーバ２００へ要求する。
【００２６】
通信履歴サーバ２００から回線制御部３０１を経由して受信した通信履歴情報受信処理部３０６で、通信履歴データと通話メモを認識し、主制御部３０５は通信履歴情報表示処理部３０９へ受信した通信履歴データと通話メモを表示指示し、通信履歴情報表示処理部３０９はＬＣＤなどの表示部３１３で前記データの表示を行う。
【００２７】
通信端末３００は、自通信端末の通信履歴情報を要求するときは、自メールアドレスをＩＤとして要求するが、他の通信端末３００の通信履歴情報を要求するときは、特定端末のＩＤで要求する。特定端末の登録は、キー入力部３１２のキー操作により特定端末の登録要求を行い、主制御部３０５は、通信履歴情報要求処理部３０７にて特定端末データを通信履歴サーバ２００へ回線制御部３０１を経由して送信する。
【００２８】
特定端末の登録を通信履歴サーバ２００へ登録することにより自通信端末３００の通信履歴情報以外に他の通信端末３００の通信履歴情報を要求することができる。
【００２９】
図４は、通信端末３００―１が通信端末３００−２と通話により記録した通信履歴をメールサーバ４００経由で通信履歴サーバ２００へ送信し、他の通信端末３００―３が通信端末３００−１で記録した通信履歴を通信履歴サーバ２００へ要求し通信履歴を受信する動作を図示したシーケンス図である。
【００３０】
通信端末３００−１は、通信端末３００−２と通話するためにダイヤル（Ｓ４０１）を行い、通信端末３００−２へ発信（Ｓ４０２）を行う。通信端末３００−２は応答（Ｓ４０３）し通信端末３００−１と通信端末３００−２は通話（Ｓ４０４）状態となる。通話が終了（Ｓ４０５）すると、通信端末３００−１から通話終了の切断（Ｓ４０６）を行う。通話端末３００−１は、通話端末３００−２との通信履歴情報を通話記録処理部３１１で通話記録（Ｓ４０７）を行い、通信履歴データ送信処理部３０８で通信履歴データを作成（Ｓ４０８）し、通信履歴データをメールサーバ４００へ送信（Ｓ４０９）する。
【００３１】
次に、通信端末３００−１は通話メモを作成するためにキー入力部３１２にて通話メモを入力（Ｓ４１０）する。通話端末３００−１は、通話メモ作成処理部３１０で通話メモを作成（Ｓ４１１）し、通話メモ送信処理部３１４で通話メモをメールサーバ４００へ送信（Ｓ４１２）する。
【００３２】
通信端末３００−３は、通信履歴情報を入手するために予め通信履歴サーバ２００に対して登録操作（Ｓ４１３）を行い、通信端末３００−３から通信履歴サーバ２００へ特定端末情報を送信（Ｓ４１４）する。特定端末ＩＤを受信した通信履歴サーバ２００は、通信端末３００−３の特定通信端末としての登録（Ｓ４１５）を特定通信端末登録処理部２０５にて記憶する。
【００３３】
次に、通信履歴サーバ２００は、定期的にメールサーバ４００へ受信メールが無いかを確認（Ｓ４１６）する。受信メールがある場合メールサーバ４００からメールを受信（Ｓ４１７）する。受信メールの通信履歴データおよび通話メモを受信（Ｓ４１８）し、特定端末ＩＤ５０６を登録（Ｓ４１９）して通信履歴データと通話メモを関連付けて通信履歴情報として蓄積（Ｓ４２０）する。
【００３４】
通信端末３００−３は、通信履歴サーバ２００へ通信履歴情報をキー操作で要求（Ｓ４２１）する。通信端末３００−３は、通信履歴情報要求処理部３０７で通信履歴情報要求（Ｓ４２２）を通信履歴サーバ２００へ送信する。通信履歴サーバ２００は、通信履歴情報要求データより特定端末のＩＤを取得し、通信端末ＩＤ管理処理部２０４で特定通信端末登録処理部２０５より登録されているか否かの確認（Ｓ４２３）を行う。
【００３５】
登録されている特定端末であることが確認されると、通信履歴サーバ２００は、通信履歴情報蓄積処理部２０９で管理している通信履歴情報を通信履歴情報送信処理部２０８より要求があった通信端末３００−３へ通信履歴情報を送信（Ｓ４２４）する。通信履歴情報を受信した通信端末３００−３は、通信履歴情報表示処理部３０９にてＬＣＤなどの表示部３１３で通信履歴情報を表示（Ｓ４２５）する。
【００３６】
図５の（１）は、通信端末３００がメールサーバ４００へ送信する通信履歴情報のデータフォーマット図である。通信端末３００は、記録した通話履歴データと通話メモを通話履歴情報として通信履歴データ送信処理部３０８でメールサーバ４００に対して送信する。その際のデータフォーマットを図示する。識別記号５０１は、送信するデータを認識する記号である。
【００３７】
送信先ＩＰアドレス５０２は受信先のメールサーバ４００のＩＰアドレスであり、通信端末ＩＤ５０３は通信端末３００のＩＰアドレスでこのＩＤにより通信履歴サーバ２００は、通信端末ＩＤ管理処理部２０４で通信履歴情報を認識する。通信履歴データまたは通話メモ５０４は、通信端末３００の通信記録処理部３１１で記録した通話履歴データまたは通信端末３００の通話メモ作成処理部３１０で作成した通話内容のデータである。通話履歴と通話メモは通信端末ＩＤ５０３が同じであれば、関連付けて記録することができるため、同時に送信しても別々に送信してもよい。
【００３８】
図５の（２）は、通信端末３００が通信履歴サーバ２００に対して特定端末として登録するＩＤのデータフォーマットである。送信先ＩＰアドレス５０５は、通信履歴サーバ２００のＩＰアドレスであり、特定端末ＩＤ５０６は通信履歴サーバ２００が、通信履歴情報の要求の許可を認識するための端末ＩＤであり、通信端末３００のＩＰアドレスである。
【００３９】
図５の（３）は、通信端末３００が通信履歴サーバ２００へ通信履歴情報を要求するデータフォーマットである。送信先ＩＰアドレス５０５は通信履歴サーバ２００のＩＰアドレスであり送信先を示す。特定端末ＩＤ５０６は、通信履歴サーバ２００へ登録した通信履歴情報の要求を許可する通信端末３００のＩＤであり、送信元の通信端末３００のＩＰアドレスで構成される。要求端末ＩＤ５０７は、通信履歴を入手したい通信端末３００のＩＰアドレスである。自通信端末３００が自通信履歴情報を要求する場合は、特定端末ＩＤ５０６と要求端末ＩＤ５０７が同じ値でかまわない。
【００４０】
図６は、通信履歴サーバ２００の動作フローチャートを図示したものである。通信履歴サーバ２００は、メールサーバ４００に定期的にアクセスして受信メールがあるかを監視し受信メールがない場合（Ｓ６０１でＮｏ）、通信端末３００から通信履歴の端末要求を受信したかを監視する。通信端末３００から端末要求の受信がない場合（Ｓ６０２でＮｏ）は待機状態へ戻り、受信メールの監視（Ｓ６０１）と端末要求の受信監視（Ｓ６０２）を継続する。
【００４１】
端末要求を受信した場合（Ｓ６０３でＹｅｓ）は、特定端末からの要求かを監視（Ｓ６０３）する。特定通信端末からの要求でない場合（Ｓ６０３でＮｏ）、自ＩＤ端末の要求であるかを通信端末ＩＤ管理処理部２０４により監視（Ｓ６０４）する。自通信端末からの要求でない場合（Ｓ６０４でＮｏ）、待機状態へ戻り、受信メールの監視（Ｓ６０１）と端末要求の受信監視（Ｓ６０２）を継続する。
【００４２】
特定通信端末からの要求（Ｓ６０３でＹｅｓ）または自ＩＤ端末からの要求（Ｓ６０４でＹｅｓ）の場合、通信端末ＩＤ管理処理部２０４にて通信履歴情報蓄積処理部２０９で蓄積した通信履歴情報を検索する（Ｓ６０５）。該当の通信履歴情報を検出できたなら通信履歴情報送信処理部２０８にて通信履歴情報を送信（Ｓ６０６）する。
【００４３】
待機状態へ戻り、通信履歴サーバ２００宛の受信メールがある場合（Ｓ６０１でＹｅｓ）、通信履歴データであるかを監視（Ｓ６０７）し、通知履歴データであれば（Ｓ６０７でＹｅｓ）通信履歴データを受信（Ｓ６０８）する。通信履歴データでないなら（Ｓ６０７でＮｏ）通話メモを受信（Ｓ６０９）する。そして通信端末ＩＤ管理処理部２０４で通信端末ＩＤ５０３を取得（Ｓ６１０）し、通信履歴データと通話メモを関連づけて通信履歴情報蓄積処理部２０９で通信履歴情報を蓄積（Ｓ６１１）する。
【００４４】
図７は、通信端末３００の動作フローチャートを図示したものである。通信端末３００は、発着信動作を行うため動作状態を監視しており、発信動作でない場合（Ｓ７０１でＮｏ）、着信動作かを監視し着信動作でない場合（Ｓ７０２でＮｏ）、キー操作が行われたかの監視を行い、キー操作がない場合（Ｓ７００３でＮｏ）、通信履歴情報の受信がない場合（Ｓ７０４でＮｏ）、待機状態へ戻り動作状態の監視を継続する。
【００４５】
発信動作が行われた場合（Ｓ７０１でＹｅｓ）、相手の通信端末３００が応答したかを監視（Ｓ７１２）する。相手が応答しない場合（Ｓ７１２でＮｏ）、待機状態へ戻り動作状態の監視を継続する。
【００４６】
待機状態にて、着信があり（Ｓ７０２でＹｅｓ）自通信端末３００が応答（Ｓ７１３）と発信で相手が応答した場合（Ｓ７１２でＹｅｓ）、通話動作（Ｓ７１４）となる。通話動作中は、終話を監視（Ｓ７１５でＮｏ）し、終話した場合（Ｓ７１５でＹｅｓ）、通話記録処理部３１１で通話履歴を記録（Ｓ７１６）し、通信履歴データをメールサーバ４００に対して送信（Ｓ７１７）する。
【００４７】
待機状態よりキー操作にて通話メモを入力したか否かを監視（Ｓ７０７）し、通話メモを入力した場合（Ｓ７０７でＹｅｓ）、通話メモ作成処理部３１０で通話メモを作成（Ｓ７１０）し、通信メモをメールサーバ４００に対して送信（Ｓ７１１）する。
【００４８】
キー操作（Ｓ７０３）で通話メモでもなく通信履歴の要求でもない場合（Ｓ７０８でＮｏ）、待機状態へ戻り動作状態の監視を継続する。通信履歴情報の要求である場合（Ｓ７０８でＹｅs）、通信履歴データ送信処理部３０８により通信履歴情報要求を通信履歴サーバ２００へ送信（Ｓ７０９）する。
【００４９】
待機状態より通信履歴情報を受信した場合（Ｓ７０４でＹｅｓ）、通信履歴情報受信処理部３０６で通信履歴情報を受信（Ｓ７０５）する。その後、通信履歴情報表示処理部３０９により、ＬＣＤなどの表示部３１３で通信履歴情報を表示（Ｓ７０６）する。
【００５０】
本実施例により、通信端末３００が記録した通信履歴と通話メモを関連づけて蓄積する通信履歴サーバ２００と、通信履歴サーバ２００へ当該通信端末以外の特定の通信端末３００からも通信履歴と通話メモを要求することができるため、第三者が前回の通話内容を把握することができ、新たな通話においても通話内容を引き継いで通話することができる。
【図面の簡単な説明】
【００５１】
【図１】図１は、本発明の実施例の通話メモ蓄積機能付き通信履歴サーバ２００および通信端末３００の概略図である。
【図２】図２は、本発明の実施例の通信履歴サーバ２００の概略構成図である。
【図３】図３は、本発明の実施例の通信端末３００の概略構成図である。
【図４】図４は、通信端末３００が通信履歴をメールサーバ４００経由で通信履歴サーバ２００へ送信し、他の通信端末３００が通信履歴を通信履歴サーバ２００へ要求し通信履歴を受信する動作を図示したシーケンス図である。
【図５】図５は、通信履歴情報のデータフォーマット（１）、特定端末として登録するＩＤのデータフォーマット（２）及び通信履歴情報を要求するデータフォーマット（３）である。
【図６】図６は、通信履歴サーバ２００の動作フローチャートである。
【図７】図７は、通信端末３００の動作フローチャートである。
【符号の説明】
【００５２】
１００    ネットワーク網
２００    通信履歴サーバ
２０１    回線制御部
２０２    通信履歴情報要求受信処理部
２０３    通信履歴データ受信処理部
２０４    通信端末ＩＤ管理処理部
２０５    特定通信端末登録処理部
２０６    電子メール受信処理部
２０７    通話メモ受信処理部
２０８    通信履歴情報送信処理部
２０９    通信履歴情報蓄積処理部
３００    通信端末
３０１    回線制御部
３０２    ＳＩＰ／音声処理部
３０３    送話音声入力部
３０４    受話音声出力部
３０５    主制御部
３０６    通信履歴情報受信処理部
３０７    通信履歴情報要求処理部
３０８    通信履歴データ送信処理部
３０９    通信履歴情報表示処理部
３１０    通話メモ作成処理部
３１１    通話記録処理部
３１２    キー入力部
３１３    表示部
３１４    通話メモ送信処理部
４００    メールサーバ
５０１    識別記号
５０２    送信先ＩＰアドレス（メールサーバ）
５０３    通信端末ＩＤ（通信端末）
５０４    通信履歴データまたは通話メモ
５０５    送信先ＩＰアドレス（通信履歴サーバ）
５０６    特定端末ＩＤ（通信端末）
５０７    要求端末ＩＤ（通信端末）
【図１】
2010081468.tif 000003
【図２】
2010081468.tif 000004
【図３】
2010081468.tif 000005
【図４】
2010081468.tif 000006
【図５】
2010081468.tif 000007
【図６】
2010081468.tif 000008
【図７】
2010081468.tif 000009